(57)【要約】  本発明は、楽器のマウスピース（２）に対して単一の振動リード（３）を取付けるためのリガチャー（１）に関し、リガチャー（１）は、前述のマウスピースに固定されるメイン本体と、リード（３）を固定する押圧力をリード（３）に及ぼす押圧位置とリード（３）の移動を許容するために前述の押圧力を解除する少なくとも１つの解放位置との間で動くことが可能に設けられたリード（３）の保持部材と、前述の保持部材がその押圧位置にあるように保持部材と協働する休止位置と保持部材にその解放位置で力を加える少なくとも１つの作動位置との間で旋回可能に設けられた操作レバーと、弾性の戻し部材と、を含み、管楽器に関する。
2018525686.tif 000002
【特許請求の範囲】
【請求項１】
単一の振動リード（３）を楽器のマウスピース（２）に取り付けるための、前記マウスピース（２）に固定されるよう意図されたメイン本体（１３）を含む、リガチャー（１）であって、
前記マウスピース（２）に対し前記リード（３）を固定する押圧力を、前記リード（３）に及ぼすように設計されている押圧位置と、前記マウスピース（２）に対する前記リード（３）の移動を許容するために、前記押圧力を解除するように設計されている少なくとも１つの解放位置と、の間で、前記メイン本体（１３）に対して動くことが可能に取り付けられている、前記リード（３）の保持部材（１７）と、
前記保持部材（１７）が前記押圧位置にあるように前記保持部材（１７）と協働する休止位置と、前記保持部材（１７）に前記解放位置で力を加える少なくとも１つの作動位置と、の間で、手動で動作させることが可能で、前記メイン本体（１３）に対して旋回可能に取り付けられている、操作レバー（１８）と、
前記保持部材（１７）および操作レバー（１８）を、それぞれ、前記押圧位置および前記休止位置へ弾性的に戻す弾性の戻し部材（２３）と、を、
さらに含むことを特徴とする、リガチャー（１）。
【請求項２】
前記メイン本体（１３）は、前記マウスピース（２）を取り囲むように意図された環状部（１４）を含み、当該環状部（１４）には、前記マウスピース（２）へ前記環状部（１４）を取り外し可能に留めるのを可能にする取り付け部材（１５）が備えられている、ことを特徴とする、請求項１に記載のリガチャー（１）。
【請求項３】
前記取り付け部材（１５）は、前記保持部材（１７）と明確に異なり独立している、ことを特徴とする、請求項２に記載のリガチャー（１）。
【請求項４】
前記取り付け部材（１５）は、手動で動作させることが可能な締め付け／締め付け解除ヘッドが備えられた、少なくとも１つの締め付けネジを含む、ことを特徴とする、請求項２または請求項３に記載のリガチャー（１）。
【請求項５】
前記リード（３）を前記マウスピース（２）と合わせて保持するよう設計される一方で、前記保持部材（１７）が前記解放位置にあるとき、前記マウスピース（２）に沿った前記リード（３）の長手方向のスライドを許容する、前記メイン本体（１３）に固定された側方ガイド具（２５）を含む、ことを特徴とする、請求項１〜請求項４のうちのいずれか１つに記載のリガチャー（１）。
【請求項６】
前記メイン本体（１３）は、前記側方ガイド具（２５）の一部である側面（２６）の間にしっかり調整されて前記リードを収容可能にするために、互いに反対側に配置され、前記リード（３）の幅よりも大きい距離を空けて互いに離間した２つの前記側面（２６）を形成するよう形作られている、ことを特徴とする、請求項５に記載のリガチャー（１）。
【請求項７】
前記保持部材（１７）は、前記メイン本体（１３）に対し旋回可能に取り付けられている、ことを特徴とするとともに、前記保持部材（１７）は前記メイン本体（１３）に対し第１の旋回軸（Ａ−Ａ’）に従って旋回可能に取り付けられている一方で、前記操作レバー（１８）は前記メイン本体（１３）に対し第２の旋回軸（Ｂ−Ｂ’）に従って旋回可能に取り付けられており、前記第１（Ａ−Ａ’）および第２（Ｂ−Ｂ’）の旋回軸は一致する、ことを特徴とする、請求項１〜請求項６のうちのいずれか１つに記載のリガチャー（１）。
【請求項８】
前記保持部材（１７）および前記操作レバー（１８）は、１つの単一のユニット部品に属する、ことを特徴とする、請求項１〜請求項７のうちのいずれか１つに記載のリガチャー（１）。
【請求項９】
前記操作レバー（１８）は、前記保持部材（１７）と協働する上部（２０）と、手動で動作され第２の旋回軸（Ｂ−Ｂ’）に従った前記操作レバー（１８）の旋回を制御するように意図されたハンドル（２２）を形作る下部（２１）と、の間で長手方向に延びる細長部（１９）の形をしており、前記第２の旋回軸（Ｂ−Ｂ’）は、前記上部（２０）と下部（２１）との間に位置する前記細長部（１９）の中間部を貫通している、ことを特徴とする、請求項１〜請求項８のうちのいずれか１つに記載のリガチャー（１）。
【請求項１０】
前記上部（２０）は、前記保持部材（１７）を支持する、ことを特徴とする、請求項９に記載のリガチャー（１）。
【請求項１１】
ボア平均中心軸（Ｘ−Ｘ’）に沿って長手方向に延びるボア（１２）を有する前記マウスピース（２）に対し、前記メイン本体（１３）が固定されるとき、前記下部（２１）は、前記作動位置よりも前記休止位置で、前記ボア平均中心軸（Ｘ−Ｘ’）からより離れるように設計され、前記操作レバー（１８）は、前記ボア平均中心軸（Ｘ−Ｘ’）の方向に、前記下部（２１）に作用する力に応じて、前記休止位置から前記作動位置へと切り替わるように設計される、ことを特徴とする、請求項９または請求項１０に記載のリガチャー（１）。
【請求項１２】
前記操作レバー（１８）は、前記メイン本体（１３）から下方に突き出している、ことを特徴とする、請求項１〜請求項１１のうちのいずれか１つに記載のリガチャー（１）。
【請求項１３】
前記操作レバー（１８）は、前記メイン本体（１３）に対し第２の旋回軸（Ｂ−Ｂ’）に従って旋回可能に取り付けられており、前記リガチャー（１）は、前記メイン本体（１３）が、ボア平均中心軸（Ｘ−Ｘ’）に沿って長手方向に延びるボア（１２）を有する前記マウスピース（２）に対して固定されるとき、前記第２の旋回軸（Ｂ−Ｂ’）が、前記ボア平均中心軸（Ｘ−Ｘ’）が延びる長手方向に対して略直角な横方向に沿って延びるように、設計される、ことを特徴とする、請求項１〜請求項１２のうちのいずれか１つに記載のリガチャー（１）。
【請求項１４】
使用者の制御操作に応じて、前記マウスピース（２）に対する前記リード（３）の長手方向の位置決めを調整するよう設計されている、セッティングデバイス（２７）を含む、ことを特徴とする、請求項１〜請求項１３のうちのいずれか１つに記載のリガチャー（１）。
【請求項１５】
前記保持部材（１７）は、前記押圧位置にあるとき、前記セッティングデバイス（２７）の動作を妨害するよう設計されており、反対に、前記解放位置にあるとき、前記セッティングデバイス（２７）の動作を促すよう設計されている、ことを特徴とする、請求項１４に記載のリガチャー（１）。
【請求項１６】
前記セッティングデバイス（２７）は、移動台（２８）の移動が、前記リード（３）の長手方向の移動を生じさせ、前記リードの長手方向の位置決めの調整を可能にするように、前記リード（３）と協働するように設計された前記移動台（２８）を含む、ことを特徴とする、請求項１４または請求項１５に記載のリガチャー（１）。
【請求項１７】
前記台（２８）は、前記操作レバー（１８）と機械的に接続し、前記リガチャー（１）は、ボア平均中心軸（Ｘ−Ｘ’）に沿って長手方向に延びるボア（１２）を有する前記マウスピース（２）に前記メイン本体（１３）が固定されたとき、前記操作レバー（１８）の前記休止位置から前記作動位置への切り替えが、前記ボア平均中心軸（Ｘ−Ｘ’）に対する前記台（２８）の離間を生じさせるというように、設計されている、ことを特徴とする、請求項１６に記載のリガチャー（１）。
【請求項１８】
前記セッティングデバイス（２７）は、さらに、前記移動台（２８）がスライド可能に取り付けられる台ガイド（３５）を含み、前記台ガイド（３５）は、前記台ガイド（３５）の移動が前記レバー（１８）の手動動作によって制御されるように、前記メイン本体（１３）に対して自身動くことが可能に取り付けられているとともに、前記操作レバー（１８）に機械的に接続している、ことを特徴とする、請求項１７に記載のリガチャー（１）。
【請求項１９】
前記セッティングデバイス（２７）は、手動で動作させることができる制御部材（５０）を含む、ことを特徴とする、請求項１４〜請求項１８のうちのいずれか１つに記載のリガチャー（１）。
【請求項２０】
前記制御部材（５０）は、回転式セッティングサムホイール（５１）、および、前記サムホイール（５１）の回転運動を前記マウスピース（２）に沿った前記リード（３）の長手方向のスライド運動に変換するための変換システム（５２）を含む、ことを特徴とする、請求項１９に記載のリガチャー（１）。
【請求項２１】
前記セッティングデバイス（２７）は、前記制御部材（５０）と前記変換部材（５２）との間に設けられた伝達システム（５９）を含み、前記伝達システム（５９）は、
前記伝達システム（５９）が前記セッティングサムホイール（５１）の回転運動を前記変換システム（５２）に伝達する活性形態と、
前記伝達システム（５９）が前記セッティングサムホイール（５１）の回転運動を前記運動変換システム（５２）に伝達しないか、あるいは、前記伝達システム（５９）が前記サムホイール（５１）のどんな回転運動をも妨げるかの、いずれかである抑止形態と、の間で動くように、設計されている、
ことを特徴とする、請求項２０に記載のリガチャー（１）。
【請求項２２】
前記制御部材（５０）は、前記伝達システム（５９）の前記抑止形態から前記活性形態への切り替えを可能にするため、前記伝達システム（５９）の手動活性化部材（６０）を含む、ことを特徴とする、請求項２１に記載のリガチャー（１）。
【請求項２３】
前記運動変換システム（５２）は、前記セッティングサムホイール（５１）の監視下で回転可能に設けられた歯付きセクター（５３）を含み、前記セッティングサムホイール（５１）の回転運動を前記台（２８）に伝えるために、前記台（２８）の一部は、前記歯付きセクター（５３）と接するように形作られている、ことを特徴とする、請求項１６および請求項２０に記載のリガチャー（１）。
【請求項２４】
楽器のマウスピース（２）に固定されるように意図されたメイン本体（１３）を含むリガチャー（１）によって、単一の振動リード（３）を前記マウスピース（２）に取り付ける、取り付け方法であって、前記リガチャー（１）は、また、前記リード（３）の保持部材（１７）を含み、前記保持部材（１７）は、前記マウスピース（２）に対し前記リード（３）を固定する押圧力を、前記リード（３）に及ぼすように設計されている、弾性的戻り位置である押圧位置と、前記マウスピース（２）に対する前記リード（３）の移動を許容するために、前記押圧力を解除するように設計されている少なくとも１つの解放位置と、の間で、動くことが可能に、前記メイン本体（１３）に対して取り付けられており、前記取り付け方法は、時系列で、以下のステップ、
（ｉ）前記マウスピース（２）へ前記メイン本体（１３）を固定すること、
（ｉｉ）前記メイン本体（１３）に対して旋回可能に取り付けられた操作レバー（１８）を手動で動かし、前記操作レバー（１８）を、弾性的戻り位置である休止位置から、前記操作レバー（１８）が前記保持部材（１７）に前記解放位置で力を加える作動位置へ、旋回させること、
（ｉｉｉ）前記保持部材が前記解放位置で力を加えられている間に、前記マウスピース（２）と前記保持部材（１７）との間に、前記リード（３）を挿入すること、
（ｉｖ）前記操作レバー（１８）の手動動作をやめ、前記操作レバー（１８）の前記休止位置への戻り、および、前記保持部材（１７）の前記押圧位置への戻りを生じさせること、を含む、ことを特徴とする、取り付け方法。
【請求項２５】
前記リード（３）の長手方向の位置を調整するステップ（Ｖ）を含み、前記ステップ（Ｖ）が、時系列で、以下の操作、
手動で前記操作レバー（１８）を動作させ、前記操作レバー（１８）が前記保持部材（１７）に前記解放位置で力を加える前記作動位置に、前記操作レバー（１８）をすること、
前記操作レバー（１８）が前記作動位置に保持されている間に、前記リード（３）の長手方向の位置のセッティングデバイス（２７）を手動で動作させること、を含む、ことを特徴とする、請求項２４に記載の方法。
【発明の詳細な説明】
【技術分野】
【０００１】
技術分野
本発明は、概して、単一の振動リードを備える管楽器の分野に関連し、より詳細には、例えばクラリネットまたはサキソホンのような楽器のマウスピースに単一の振動リードを留める器具の技術分野に関連する。
【０００２】
本発明は、より詳細には、単一の振動リードを楽器のマウスピースに取り付けるためのリガチャーに関し、前述のリガチャーは、前述のマウスピースに固定されるように意図されたメイン本体を含む。
【０００３】
本発明は、また、リガチャーによって、単一の振動リードを楽器のマウスピースに取り付ける方法に関し、前述のリガチャーは、前述のマウスピースに固定されるように意図されたメイン本体を含む。
【背景技術】
【０００４】
従来技術
例えばクラリネットまたはサキソホンのような、単一の振動リードを備える管楽器の音は、唇の間にマウスピースを咥えたミュージシャンの息の影響下で、リードの振動によって生み出される。トウ、金属、またはプラスチックから作製され、単一の振動リードは、ヒールおよびテーブルである、遠位端から近位端へ、構成され、前述のテーブルは、リードの振動部を構成する。最も近位の端部では、テーブルは、マウスピースとの接触またはリードの組み立ておよびセッティングの間の取り扱いに特に起因した、調整および詰りに特に繊細であるように、極めて薄い厚さを有する。
【０００５】
次に、マウスピースは、主として、テーブル、ビーク、およびパイプという、３つの機能領域から構成される。テーブル、またはリードの受け面は、リードのヒールまたは固定部を受ける平面、およびマウスピースの開口部を描く曲面の集合にある。マウスピースのテーブルの平面と同一平面で延びて、ビークは、リードがマウスピースに留められる表面である。最後に、パイプは、楽器の胴体に向かって延びるボアと、今度はミュージシャンの口に向かって延び、リードのテーブルの下でマウスピースから外に出る、チェンバーと、の集合である。
【０００６】
例えばクラリネットまたはサキソホンのタイプの管楽器のマウスピースにおけるリードの相対位置は、音および楽器の演奏特性に大きな影響を及ぼす可能性がある。それ故、マウスピースにおけるリードの位置の非常に高い正確性が、ミュージシャンによって求められる。慣例的に、リードのヒールをマウスピースに固定する一方でリードのテーブルの振動を許容する、一種のリングまたは環状部材である、リガチャーと称される部材を使用して、リードは、ビークで、マウスピースの適切な位置に保持される。このようなリガチャーは、柔軟であってもよく、例えば皮によって作製される、あるいは、反対に本質的に硬く、例えば金属またはプラスチックによって作製されてもよい。
【０００７】
このよく知られた解決策によれば、ミュージシャンは、楽器のマウスピースにリードを配置し、それから、それをリガチャーによって留める。これは、望みの最適な音が得られるリードの位置が得られるまで、リードとリガチャーとのそれぞれの位置を、互いに対し、またマウスピースに対し、繰り返しセッティングするという結果を招く。留めてセッティングするというこの手順は、リードが取り換えられるたびにリガチャーが再度体系的に調整されるべきであるため、比較的、労力を要し、実行が難しく、あまり正確でないことが分かるかもしれない。特に、マウスピースの先端に対しリードを良好にセッティングすることは、特に困難である。従って、そのことは、不確かな結果のために、時間のロス、リードのテーブルへのダメージのリスクを招く。この課題は、初心者のミュージシャンまたは学生ミュージシャンに関する限り、より強くなる。実際、生徒が楽器にリードを適切に留めるのを手伝うのに先生が授業時間の一部を充てることは、珍しくない。
【０００８】
そのような問題を是正するため、解決策が探し求められてきたが、不運にも、それらは、非常に頻繁に、実施するにはとても複雑なままであり、特に、器用さが限られている初心者のミュージシャンにとって、非人間工学的であり、時々、例えばヒールで、リードの事前の特有の準備、あるいはその他に、対応するリガチャーと使用するために特別に開発されたリードの使用を要する。
【発明の概要】
【０００９】
本発明の概要
従って、本発明は、前に挙げられた異なる問題を解決し、特に簡単で、実用的で、使用者にとって人間工学的であり、また、マウスピースにおけるリードの適切な保持を可能にする、新しいリガチャーを提供することを目的とする。
【００１０】
本発明の他の目的は、特に簡単に速く、リードの交換を進めるのを可能にする、新しいリガチャーを提供することを目指す。
【００１１】
本発明の他の目的は、使用者の片手の使用を要するだけの特に人間工学的なやり方で、マウスピースに対してリードを適切な位置に固定する／その固定を解除するのを可能にする、新しいリガチャーを提供することを目指す。
【００１２】
本発明の他の目的は、さらに、楽器のマウスピースに対するリードの位置の、特に簡単で、速く、正確な手動のセッティングを可能にする、新しいリガチャーを提供することを目指す。
【００１３】
本発明の他の目的は、楽器のマウスピースに対するリードの位置の、特に簡単で、速く、正確な手動のセッティングを可能にする一方で、リードの本体の変形または調整を必要とすることなく、一般的なリードとともに使用できる、新しいリガチャーを提供することを目指す。
【００１４】
本発明の他の目的は、セッティングまたは位置決めの間の特に摩擦によるリードの損傷のリスクを大きく抑制するように設計された、単一の振動リードを備える管楽器である楽器のマウスピースにおけるリードの新しい留め具を提供することを目指す。
【００１５】
本発明の他の目的は、実装するのに、特に簡単で、実用的で、速い、最低限の手動操作だけを必要とする、楽器のマウスピースへの単一の振動リードの新しい取り付け方法を提供することを目指す。
【００１６】
本発明の他の目的は、楽器のマウスピースに対し、リードを、特に簡単に、速く、正確に、手動で位置決めするのを可能にする、楽器のマウスピースへの単一の振動リードの新しい取り付け方法を提供することを目指す。
【００１７】
単一の振動リードを楽器のマウスピースに取り付けるための、前記マウスピースに固定されるよう意図されたメイン本体を含む、リガチャーであって、前記マウスピースに対し前記リードを固定する押圧力を、前記リードに及ぼすように設計されている押圧位置と、前記マウスピースに対する前記リードの移動を許容するために、前記押圧力を解除するように設計されている少なくとも１つの解放位置と、の間で、前記メイン本体に対して動くことが可能に取り付けられている、前記リードの保持部材と、前記保持部材が前記押圧位置にあるように前記保持部材と協働する休止位置と、前記保持部材に前記解放位置で力を加える少なくとも１つの作動位置と、の間で、手動で動作させることが可能で、前記メイン本体に対して旋回可能に取り付けられている、操作レバーと、前記保持部材および操作レバーを、それぞれ、前記押圧位置および前記休止位置へ弾性的に戻す弾性の戻し部材と、を、さらに含むことを特徴とする、取り付けリガチャーを使用して、本発明の目的は達成される。
【００１８】
また、楽器のマウスピースに固定されるように意図されたメイン本体を含むリガチャーによって、単一の振動リードを前記マウスピースに取り付ける、取り付け方法であって、前記リガチャーは、また、前記リードの保持部材を含み、前記保持部材は、前記マウスピースに対し前記リードを固定する押圧力を、前記リードに及ぼすように設計されている、弾性的戻り位置である押圧位置と、前記マウスピースに対する前記リードの移動を許容するために、前記押圧力を解除するように設計されている少なくとも１つの解放位置と、の間で、動くことが可能に、前記メイン本体に対して取り付けられており、前記取り付け方法は、時系列で、以下のステップ、（ｉ）前記マウスピースへ前記メイン本体を固定すること、（ｉｉ）前記メイン本体に対して旋回可能に取り付けられた操作レバーを手動で動かし、前記操作レバーを、弾性的戻り位置である休止位置から、前記操作レバーが前記保持部材に前記解放位置で力を加える作動位置へ、旋回させること、（ｉｉｉ）前記保持部材が前記解放位置で力を加えられている間に、前記マウスピースと前記保持部材との間に、前記リードを挿入すること、（ｉｖ）前記操作レバーの手動動作をやめ、前記操作レバーの前記休止位置への戻り、および、前記保持部材の前記押圧位置への戻りを生じさせること、を含む、ことを特徴とする、取り付け方法を使用して、本発明の目的は達成される。
【図面の簡単な説明】
【００１９】
図面の概要説明
本発明の他の目的および利点は、単なる説明の目的であり限定する目的で提供されている訳ではない添付の図面を使用しつつ、以下の説明を参照して、より詳細に明らかになるであろう。
【図１】図１は、クラリネットまたはサキソホンのタイプの管楽器のマウスピースにおける単一の振動リードの一般的なアセンブリを、側面図で、高度に図解して示し、前述のリードは、本発明によるリガチャーによって、適切な位置に保持されている。
【図２】図２は、上面図、単一の振動リードを示す。
【図３】図３は、本発明のリガチャーが単一の振動リードを内部に収容できる第１の解放形態で、遠近法によって、発明の好ましい実施形態を示す。
【図４】図４は、リガチャーが単一の振動リードを支持する第２の押圧形態で、遠近法によって、発明の好ましい実施形態を示す。
【図５】図５は、本発明に係るリガチャーの図３および図４の好ましい実施形態を、正面図で示し、下部のパーツが見えるようにするために操作レバーが隠されている。
【図６】図６は、楽器（不図示）のマウスピースに対し、リードの長手方向の位置決め機能、本発明に係るリガチャーを確かにする、所定の数の異なる構成要素および構成要素のサブセットの好ましい実施形態を、遠近法によって、上面図で示す。特に、本発明のリガチャーを好ましくは含むセッティングデバイスの実施形態を示す。
【図７】図７は、楽器（不図示）のマウスピースに対し、リードの長手方向の位置決め機能、本発明に係るリガチャーを確かにする、所定の数の異なる構成要素および構成要素のサブセットの好ましい実施形態を、遠近法によって、下面図で示す。特に、本発明のリガチャーを好ましくは含むセッティングデバイスの実施形態を示す。
【図８】図８は、図６および図７で示された異なる構成要素および構成要素のサブセットの間の相互作用を、リガチャーの操作レバーとともに、背面斜視図で示す。
【図９】図９は、また、本発明のリガチャーの適切な位置に単一の振動リードがある形態において、楽器（不図示）のマウスピースに対するリードの長手方向の位置決め機能を確かにするサブシステムおよび部材のいくつかを、長手方向断面で示す。
【図１０】図１０は、また、本発明のリガチャーの適切な位置に単一の振動リードがある形態において、楽器（不図示）のマウスピースに対するリードの長手方向の位置決め機能を確かにするサブシステムおよび部材のいくつかを、横方向断面で示す。
【図１１】図１１は、リードの長手方向位置のセッティングデバイスの動きの伝達システムの好ましい実施形態を、より具体的に、長手方向断面で示す。この図においてリガチャーは単一の振動リードを支持し、操作レバーは、楽器（不図示）のマウスピースに対する長手方向の移動が妨害される休止位置にある。
【図１２】図１２は、楽器（不図示）のマウスピースに対するリードの長手方向の位置決め機能を確かにするサブシステムおよび部材のいくつかの第１の好ましい実施形態、特に動きの伝達システムの活性化部材を、立体分解図で示す。
【図１３】図１３は、楽器（不図示）のマウスピースに対するリードの長手方向の位置決め機能を確かにするサブシステムおよび部材のいくつかの第１の好ましい実施形態、特に動きの伝達システムの活性化部材を、横断面図で示す。
【図１４】図１４は、図３および図４のリガチャーを含むセッティングデバイスの他の実施形態を、上面図で示す。
【図１５】図１５は、動きの伝達システムの手動活性化部材の他の実施形態を、部分拡大図で示す。
【図１６】図１６は、動きの伝達システムの手動活性化部材の他の実施形態を、立体分解図で示す。
【発明を実施するための形態】
【００２０】
本発明を実施するための最良の実施形態
図１は、クラリネットまたはサキソホンのタイプの管楽器のマウスピース２における、単一の振動リード３を前述のマウスピース２に留めるのを可能にする、本発明に係るリガチャー１のアセンブリの概観を図式的に示す。以下では、方向「トップ」および「ボトム」は、関係する管楽器の長手方向に延びる方向（直線的または曲線をなしている）を考慮して規定され、楽器は、マウスピースからベルに向かって下方に延び、ベルからマウスピースに向かって上方に延びるというように、楽器のトップはマウスピースに対応し、一方、ボトムはベルに対応する。
【００２１】
さらに、図２に単独で示されているリード３は、縁５からもう一方へと僅かに盛り上がった形の上面４と、実質的に平坦な下面６とを有し、この下面６は、マウスピース２のテーブル７に接するように意図されている。チェンバー１１の反対側のリード３のテーブル１０の振動を許容しつつ、リード３のヒール９をマウスピース２に固定するリガチャー１を使用して、前述のリード３は、ビーク８で、マウスピース２における適切な位置に保持される。マウスピース２のチェンバー１１の反対側のリード３のその振動は、使用者の息の影響下で、楽器の音の先陣を切り、前述のマウスピース２が有するボア１２を通じて、チェンバー１１から楽器の本体へと伝わり、ここで、前述のボア１２は、ボア平均中心軸Ｘ−Ｘ’に沿って長手方向に延びている。
【００２２】
図３〜１３は、本発明に係るリガチャー１の好ましい実施形態を示す。リガチャー１は、例えば、クラリネットもしくはサキソホン、またはクラリネットもしくはサキソホンの各々と同系である楽器のマウスピース２に、例えば手動で、単一の振動リード３を取り付けるためのリガチャー１を形作る。しかしながら、本発明は、クラリネットまたはサキソホンのリガチャーに限定されず、いかなる種類の取り外し可能な単一の振動リード管楽器に関してもよい。
【００２３】
本発明によれば、リガチャー１は、楽器のマウスピース２に固定されるように意図されたメイン本体１３を含む。「固定される」という用語は、メイン本体１３が、前述のマウスピースに一旦位置合わせされて留められると、ミュージシャンが意図してもしくは意図せず触れることによって、または単純に楽器本体の振動によって、マウスピース２に対して動かされることができないように、マウスピース２に対しその長さの少なくとも一部分に、しっかり留められることを意味する。好ましくは、メイン本体１３は、例えば同じリガチャー１が異なるマウスピースと使用してもよいように、楽器の前述のマウスピース２に取り外し可能に固定される。その代わりに、本発明から逸脱することなく、メイン本体１３がマウスピース２に対し取り外し不能に固定される、すなわち、メイン本体１３が前述のマウスピース２に恒久的に留められることが、十分可能である。楽器のマウスピース２へのメイン本体１３のそのような固定を可能にするため、前述のメイン本体１３は、好ましくは、例えば前述のマウスピース２のビーク８でマウスピース２を取り囲むように意図された環状部１４を含み、前述の環状部１４には、マウスピース２へ環状部１４を取り外し可能に留めるのを可能にする取り付け部材１５が備えられている。
【００２４】
本発明の好ましい実施形態によれば、図２〜４に示されているように、環状部１４は、メイン本体と一体となった一部を形成するため、好ましくはメイン本体１３と一体となった環状形状の留め手段を形作る。しかしながら、前述の環状部１４は、代わりに、前述のメイン本体１３に直接取り付けられた、硬いあるいは柔軟でさえある、メイン本体１３の明確に異なる部分からなる、と考えることが可能である。さらに、環状部１４が硬い実施形態において、より特に、リガチャー１の環状部１４の内面は、有利に、リガチャー１の起こり得る寄生的な振動を少なくとも部分的に吸収し得る特定の材料によって、覆われる、またはコーティングされてもよい。そのような材料は、また、マウスピース２の材料の引っ掻きまたは締め付け痕の類のダメージを避けつつ、マウスピース２に対し環状部１４がスライドするのを容易にするのを可能にしてもよい。
【００２５】
前述の取り付け部材１５は、例えばサムホイールタイプの、手動で動作させることが可能な締め付け／締め付け解除ヘッドが備えられた、少なくとも１つの締め付けネジ（不図示）を含む。図に示された好ましい実施形態において、締め付けネジは、有利に、ネジの締め付け／ネジの締め付け解除によって、顎部１６を環状部１４に近接させるのを可能にする補足手段を構成する。しかしながら、前述の取り付け部材１５が少なくとも１つのネジを含み、前述のネジが締め付けネジではなく、例えば位置決めネジである、前述の取り付け部材１５の代わりの形態を想像可能であるのは、もちろんである。
【００２６】
本発明の重要な特徴によれば、リガチャー１は、リード３の保持部材１７をさらに含み、保持部材１７は、マウスピース２に対しリード３を固定する押圧力を、前述のリード３の例えば上面４においてヒール９でリード３に対して及ぼすように設計されている押圧位置と、マウスピース２に対するリード３の移動を許容するために、前述の押圧力を解除するように設計されている少なくとも１つの解放位置と、の間で、メイン本体１３に対して、動くことが可能に、好ましくは第１の旋回軸Ａ−Ａ’に従って旋回可能に、取り付けられている。図３および図４で詳しく示されているように、保持部材１７は、例えば、長方形の板の形をなし、その面がリード３のヒール９の上面４に接するように意図されており、リード３の前述のヒール９の凸形状を有利に補足する凹形状を有する。前述の保持部材１７がその押圧位置にあるとき、従って、リード３の上面４に押圧力が作用し、それによって、前述のマウスピース２のテーブル７に前述のリード３が平板固定される。
【００２７】
保持部材１７は、さらに、好ましくは、圧迫された状態において変形可能な材料から構成され、リード３のヒール９で生じ得る振動を少なくとも部分的に吸収でき、かつ、前述の保持部材１７が押圧位置にあるとき、リード３のヒール９の表面４における、保持部材の表面１７の単独の摩擦力によって、マウスピース２に対するリード３の移動に抗し得る。このような保持部材１７を作製するのに適した材料は、例えば、限定されることなく、フェルト、ゴム、または、一群のエラストマーのより一般的な材料である。好ましくは、保持部材１７は、前に述べた取り付け部材１５とはっきり異なり独立している。従って、有利に、使用者は、前述のマウスピース２に対するリガチャー１自身の位置決めの変更がうっかり行われることなく、また、マウスピース２のリガチャー１を分離するまたは締め付けを解除することなく、マウスピース２に対してリード３を留めたり位置決めしたりできる。
【００２８】
本発明によれば、リガチャー１は、さらに、操作レバー１８を含み、操作レバー１８は、前述の保持部材がその押圧位置にあるように前述のレバー１８が保持部材１７と協働する休止位置と、前述のレバー１８が保持部材１７にその解放位置で力を加える少なくとも１つの作動位置と、の間で、手動で動作させることが可能で、メイン本体１３に対し、好ましくは第２の旋回軸Ｂ−Ｂ’に従って、旋回可能に取り付けられている。
【００２９】
好ましくは、前述のリガチャーは、メイン本体１３がマウスピース２に固定されたとき、前述の第２の旋回軸Ｂ−Ｂ’が、ボア平均中心軸Ｘ−Ｘ’が延びる長手方向に対して略直角な横方向に延びるように、設計される。
【００３０】
好ましくは、メイン本体１３に対する保持部材１７の第１の旋回軸Ａ−Ａ’、およびメイン本体１３に対する操作レバー１８の第２の旋回軸Ｂ−Ｂ’は、一致する。
【００３１】
図３および図４で詳しく示されているように、この操作レバー１８は、有利に、２つの自由端で、細長部１９の形をしており、細長部１９は、保持部材１７と協働する上部２０と、手動で動作され第１の旋回軸Ａ−Ａ’に従った操作レバー１８の旋回を制御するように意図されたハンドル２２を形作る、例えばヘラ形状の下部２１と、の間で長手方向に延びており、前述の第１の旋回軸Ａ−Ａ’は、前述の上部２０と下部２１との間に位置する前述の細長部１９の中間部を貫通している。好ましくは、操作レバー１８は、ハンドル２２における直接的な使用者の手によって及ぼされる力によって、動作可能である。前述のハンドル２２は、図３〜図５で詳しく示されているように、特に人間工学的で、使用者によって動作し、従って、使用者が保持部材１７を容易に操作するのを可能にする。
【００３２】
リガチャー１は、好ましくは、メイン本体１３がマウスピース２に固定されるとき、前述の下部２１が、作動位置よりも休止位置で、ボア平均中心軸Ｘ−Ｘ’からより遠くなるように設計され、操作レバー１８は、前述の下部２１に作用する力に応じて、その休止位置から、その作動位置へと切り替わり、好ましくは、前述のハンドル２２を、前述のボア平均中心軸Ｘ−Ｘ’の方向に整列させるように、設計される。好ましくは、図に示されているように、前述の操作レバー１８は、前述のメイン本体１３から突き出し、使用者によって演奏位置に操作されたとき、楽器のボトムに向いている。レバー１８のこの空間的形状は、また、前述のリガチャー１の使用を特に実用的にし、使用者は、同じ手で、楽器の本体を保持し、操作レバーに触れることができる。有利に、操作レバー１８の前述の上部２０は、好ましくはその自由端で前述の保持部材１７を支持する。言い換えると、保持部材１７は、有利に、操作レバー１８の上部２０に機械的に接続している。
【００３３】
図に示された好ましい実施形態では、保持部材１７および操作レバー１８が同一のユニット部品のパーツであるように、前述の保持部材１７は、その面のうちの１つによって、操作レバー１８の前述の上部２０の端に固定され、保持部材１７の反対側の面は、今度は、リード３に向かい合う。
【００３４】
さらに、本発明の重要な特徴によれば、リガチャー１は、前述保持部材１７および操作レバー１８のそれぞれを、押圧位置および休止位置へ、意図して弾性的に戻す弾性の戻し部材２３をさらに含む。言い換えると、弾性の戻し部材２３は、前述の保持部材１７および操作レバー１８を、それぞれ、押圧位置および休止位置へ弾性的に戻すように設計されている。特に図５に示されているように、有利に、弾性の戻し部材２３は、好ましくは、メイン本体に対し、操作レバー１８の第２の旋回軸Ｂ−Ｂ’に配置されている。この配置は、有利に、リガチャー１の容積を低減させるのを可能にし、また、使用者が、操作レバー１８を、前述の保持部材がリード３の押圧位置にあるように前述のレバー１８が保持部材１７と協働する、その休止位置から、前述のレバー１８が保持部材１７にその解放位置で力を加える少なくとも１つの作動位置へと、旋回させるためにハンドル２２に加えるべき力を最適化させるのを可能にする。特に有利には、前述の弾性の戻し部材２３は、少なくとも１つまたは２つのねじりバネ２４から構成される。弾性の戻し部材２３のこの好ましい形態、および上記の保持部材１７は、レバー１８を介して保持部材１７によって加えられるマウスピース２のテーブル７にリード３を平板固定する圧力が、例えば装着に関わるリード３の厚みのいくつかのバリエーションを自動的に補うことを可能にし、従って、楽器のマウスピース２に使用者が息を吹き込む際、望まない空気漏れを制限する、または避けるのを可能にする、という意味では、特に有利である。
【００３５】
リード３をマウスピース２と合わせて保持するよう設計される一方で、保持部材１７がその解放位置にあるとき、マウスピース２に沿ったリード３の長手方向のスライドを許容する、メイン本体１３に固定された側方ガイド具２５を、好ましくは、リガチャー１は含む。図５に示すように、メイン本体１３は、この目的のため、有利に、側方ガイド具２５の一部である側面２６の間にしっかり調整されて前述のリードを収容可能にするために、互いに反対側に配置され、リード３の幅よりも大きい、この場合、それよりも僅かに大きい距離を空けて互いに離間した２つの側面２６を形成するよう形作られている。一旦、リード３が、リガチャー１のメイン本体１３の側面２６の間に配置され、メイン本体１３が、楽器のマウスピース２に固定されると、リード３の側方変位は、従って、有利に押さえられ、その結果、マウスピース２に対するリード３の長手方向の移動だけが許される。
【００３６】
図５に示されるように、側方ガイド具２５は、メイン本体１３と一体である。本発明の範囲から逸脱することなく、この側方ガイド具２５が、専用の留め手段を用いて固定される、メイン本体１３とは明確に異なるパーツまたは一組のパーツを構成することを予期可能であるのは、もちろんである。
【００３７】
特に有利には、リガチャー１は、セッティングデバイス２７を含み、セッティングデバイス２７は、好ましくはリード３が側方ガイド具２５内に一旦置かれた状態で、使用者の制御操作に応じて、マウスピース２に対するリード３の長手方向の位置決めを調整するよう設計されている。このデバイスは、好ましくは、楽器のマウスピース２におけるリガチャー１の、環状部１４および取り付け部材１５によって形成される、留めシステムとは明確に異なる。これは、大きな利点を有し、多くの既存のリガチャーの解決策と異なり、前述のマウスピース２に対するリガチャー１の相対的な位置決めから独立するだけでなく、メイン本体１３に固定される側方ガイド具２５によって押えられるリード３の側方の位置決めからも独立して、使用者に、マウスピース２に対するリード３の長手方向の位置決めを可能にさせる。
【００３８】
図６および図７に示されるように、セッティングデバイス２７は、好ましくは、移動台２８を含み、移動台２８は、台２８の移動が、リード３の長手方向の移動を生じさせ、前述のリードの長手方向の位置決めの調整を可能にするように、リード３と協働するように設計されている。移動台の使用は、しかしながら、単なる好ましい可能性であり、例えばリード３と接するフリクションローラーシステムを含むセッティングデバイス２７のような、いずれかの他の適した手段を代わりに用いることが検討されてもよい。
【００３９】
図７で詳しく示されている実施形態によれば、前述の台２８は、下表面３０によって境界を定められる下側ハウジング２９、側端部３１、および遠位端３２を有する。図７で詳しく示されているこの実施形態では、台２８の下表面３０および側端部３１に、さらに、好ましくは、こぶ３３が備えられ、前述の側端部３１には、さらにまた、スパッド３４が備えられる。このように、適切に規定された下側ハウジング２９は、リード３のヒール９を適切な位置に、しっかりと、しかし取り外し可能に、受けて保持できる。前述のヒール９は、下側ハウジング２９にしっかりと確実に挿入される。リード３の下面６はスパッド３４にのしかかり、リード３のヒール９の縁５は、リード３のヒール９の遠位端が台２８の遠位端３２に隣接するまで、台２８の側端部３１に沿ってスライドしていく。側端部３１のこぶ３３、および台２８の下表面３０は、リード３を抜く力に抗し、リード３の下表面３０は、リード３のヒール９の縁５の近くで、スパッド３４に当接する。
【００４０】
図１４で詳しく示されている他の実施形態によれば、台２８は、有利に、側端部の近くに配置された２つの曲がった板バネ６５を含むリード３の側方ブロック手段が備えられ、それらの板バネ６５の各々の凸面は、下側ハウジング２９の内側へ向いている。それらの板バネ６５は、例えば、それらが取り付けられている台２８とは明確に異なるパーツでもよく、あるいは、一方で、前述の台２８と一体で、前述の台とともに単独の一体のパーツを形作る。それらの板バネ６５は、異なる幅のリード３のヒール９を、前述のリード３の縁５の傍で、前述のバネ６５のそれぞれの簡単な押圧によって、適切な場所で、取り外し可能に、しっかり受けて保持するのを可能にする。
【００４１】
さらに、前述のセッティングデバイス２７は、好ましくは、台ガイド３５を含み、これに対し、前述の移動台２８は、スライド可能に取り付けられる。有利に側方ガイド具２５の側面２６の間に収容され、前述の台ガイド３５は、前述のメイン本体１３に対して自身動くことが可能に取り付けられている。図６および図７で詳しく示されている本発明の好ましい実施形態によれば、台ガイド３５は、主に、矩形形状のフレームからなる。このフレームは、側壁３７、遠位壁３８、および近位壁３９によって規定され、側壁３７のそれぞれの基部は、局部的に少なくとも１つのスロープ４０を有する形状を有している。前述の側壁３７の各基部の前述のスロープ４０は、互いに向かい合って対称的に位置する。さらに、近位壁３９は、図７に詳しく示されているように、有利に、凹状の隙間４２を有し、リード３の上側の盛り上がった面４を、それの挿入の間、台２８の下側ハウジング２９内に通過させる。図６〜８に示されているように、台ガイド３５に対する台２８の取り付けは、例えば、台２８と一体のスライダ３６を使用して行われ、それは、台ガイド３５内に台２８が配置された状態で、前述の台ガイド３５に対する移動台２８のスライドを可能にするため、前述の台ガイド３５の側壁３７の縁４１に当接する。
【００４２】
前述の台ガイド３５は、前述の台ガイド３５の移動が前述のレバー１８の手動動作によって制御されるように、有利に、前述の操作レバー１８に機械的に接続している。言い換えると、前述の台ガイド３５は、有利に、メイン本体１３に対し、動くことが可能に取り付けられており、前述の操作レバー１８に機械的に接続されており、前述のレバー１８の手動動作によって前述の台ガイド３５の移動が制御されるように構成されている。前述の台ガイド３５は、従って、有利に、二つの専門的機能を果たすように設計されている。実際には、第１の機能において、マウスピース２に対する台２８の長手方向への移動を制限する。移動台２８は、台ガイド３５に対しスライド可能に取り付けられ、前述の台２８が台ガイド３５の遠位壁３８に隣接する位置Ｐｍｉｎと、前述の台２８が今度は台ガイド３５の近位壁３９に隣接する位置Ｐｍａｘとの間だけで、実際には動くことができる。
【００４３】
特に好ましくは、台２８のその位置Ｐｍｉｎと位置Ｐｍａｘとの間での最大の移動は、実質的に４ｍｍに等しく、それによって、楽器のマウスピース２に対するリード３の長手方向の最適なセッティング範囲を使用者に提供できる。
【００４４】
さらに、図８および図９に示されている特に有利な実施形態によれば、操作レバー１８は、前述の操作レバー１８の一般的拡張平面に垂直な軸に沿った２つのエクステンションアーム４３を含み、それらは、平行で、台ガイド３５の幅と等しい距離を空けて互いに離間している。それらのアーム４３は、台ガイド３５が操作レバー１８に機械的に接続し、従って前述の台ガイド３５の移動が前述のレバー１８の手動動作によって制御されるように、台ガイド３５の対応する側壁３７に形成された切欠き４４とそれぞれ協働するよう意図されている。
【００４５】
特に有利には、弾性の戻し部材２３を好ましくは構成する前述の少なくとも１つのねじりバネ２４の第１の脚４５は、操作レバー１８の下部２１の下側にもたれ、一方、第２の脚４６は、少なくとも１つの、好ましくは２つの、台２８の上面４８に形成された対応する長手方向の隙間４７にもたれる。この構成は図８〜図１１で詳しく参照される。
【００４６】
台２８、台ガイド３５、操作レバー１８、およびメイン本体１３の間の協働は、従って、操作レバー１８のハンドル２２が動作され、その前述の操作レバーが、その休止位置のメイン本体１３に対し、少なくとも１つの作動位置へ旋回するときだけ、生じ、アーム４３が、バランスをとる動きに似た、その動きにおいて、マウスピース２の開口部へと向かう、マウスピース２に対する台ガイド３５の長手方向の移動を、生じさせることができる。
【００４７】
ガイド具２５の側面２６の各々は、上述され図５に示されるように、さらに好ましくは、互いに対称的に反対側に配置された少なくとも２つの傾斜台４９を含む。操作レバー１８のハンドル２２が動作され、その前述の操作レバーが、メイン本体１３に対し、その休止位置から、少なくとも１つの作動位置へ旋回するとき、台ガイド３５に、マウスピース２に対する前述の台ガイド３５の前述の長手方向の移動と同時に、マウスピース２のボア平均中心軸Ｘ−Ｘ’に対して直角な並進運動を描かせるため、アーム４３は、その動きにおいて、マウスピース２の開口部の方向で、マウスピース２に対し、台ガイド３５の前述の長手方向の移動を生じさせ、台ガイド３５の基部のスロープ４０は、有利に、ガイド具２５の側面２６の傾斜台４９と協働する。前述の移動台２８がスライド可能に取り付けられている台ガイド３５は、従って、その第２の技術的機能を果たし、その第２の技術的機能は、操作レバー１８のその休止位置からその作動位置への切り替えが、ボア平均中心軸Ｘ−Ｘ’に対する台２８の離間を生じさせるのを可能にするということにある。
【００４８】
しかしながら、少なくとも１つのねじりバネ２４の前述の第２の対応する脚４６によって台２８に作用する力は、台ガイド３５との恒久的な接触において、前述の台２８を保持し、台２８の少なくとも１つの長手方向の隙間４７の溝における前述の第２の脚４６の単独の摩擦力によって、台ガイド３５の経路によって誘導されるマウスピース２に対する台２８の長手方向の移動に抗する。その結果、台ガイド３５は、操作レバー１８のハンドル２２の動作の影響下で、曲線の軌道を描くが、今度は、台２８は、マウスピース２のボア平均中心軸Ｘ−Ｘ’に対して直角な並進運動のみで実質的に動かされる。このように、台２８は、好ましくは、操作レバー１８と機械的に接続し、リガチャー１は、メイン本体１３がマウスピース２に固定されたとき、操作レバー１８のその休止位置から作動位置への切り替えが、ボア平均中心軸Ｘ−Ｘ’に対する台２８の離間を生じさせるというように、有利に設計されている。特に有利には、台２８に収まるリード３と、リガチャー１のメイン本体１３が固定される楽器のマウスピース２のテーブル７との間に結果的に形成される最大の隙間は、実質的に１ｍｍに等しい。リガチャー１が固定される楽器のマウスピース２に対する台２８の、操作レバー１８のハンドル２２の動作によって生じる、その相対的な隙間は、一方で、使用者が、リード３を台２８の下側ハウジング２９内に容易に挿入するのを可能にし、また、一方で、前述の下側ハウジング２９に一旦収まる前述のリード３が、前述のマウスピース２における前述のリード３の潜在的に有害な摩擦を生じさせることなく、セッティングデバイス２７の動作を通じて、マウスピース２に対するリード３の長手方向の位置決めをすることを可能にする。
【００４９】
代わりとして、セッティングデバイス２７は、反対に、前述の操作レバーのその休止位置から作動位置への切り替えが、この場合、ボア平均中心軸Ｘ−Ｘ’に対する台２８の離間を生じさせないような、操作レバー１８に機械的に接続されていない台２８を含んでも良い。そして、この実施形態では、リガチャー１は、好ましくは、台ガイド３５を含まず、ガイド具２５の側面２６は、好ましくは、傾斜台を有さない。
【００５０】
有利に、保持部材１７は、その押圧位置にあるとき、前述のセッティングデバイス２７の動作を妨害するよう設計されており、反対に、その解放位置にあるとき、前述のセッティングデバイス２７の動作を促すよう設計されている。「妨害」なる用語は、保持部材１７が、完全にではなく、部分的に、前述のセッティングデバイス２７の適切な動作に抵抗することを意味する。実際には、もし、保持部材１７が、その押圧位置にあるとき、例えば保持部材１７がリード３に加える単独の摩擦力によって、前述のセッティングデバイス２７の動作を妨害するよう設計されているとすると、しかしながら好ましくは、それにもかかわらず、前述の保持部材１７が、リード３を押圧しマウスピース２のテーブル７にそれを平板固定するその押圧位置にあるものの、使用者が、依然としてセッティングデバイス２７を操作できるように、それは、前述のセッティングデバイス２７の動作を完全には阻止しない。このため、使用者は、リード３のヒール９の上面における保持部材１７の上面の摩擦力に対抗する十分な力を、セッティングデバイス２７に加えれば十分である。その結果として、そのことは、有利に、使用者が、マウスピース２に対するリード３の長手方向の位置の特に良好なセッティングを実行するのを可能にする。逆に、保持部材１７がその解放位置にあるとき、それは、有利に、もはやリード３と接触せず、その結果、セッティングデバイス２７の動作が促される。本発明の範囲から逸脱することなく、保持部材１７が劣化するのを完全に禁止することなく許容する、または、セッティングデバイス２７の動作を促すことが可能であるのは、もちろんである。例えば、保持部材１７は、その押圧位置にあるときセッティングデバイス２７の適切な動作を邪魔するために、摩擦によってセッティングデバイス２７と緩衝するカムまたは指状の物が備えられることが検討されてもよい。
【００５１】
好ましくは、セッティングデバイス２７は、手動で動作させることができる制御部材５０を含む。この制御部材５０は、同時の操作を可能にするために、有利に、操作レバー１８と明確に異なり、両者の細かな実使用において、使用者の一の手はレバー１８を操作し、一方、他方の手は、セッティングデバイス２７の制御部材５０を操作する。また、より好ましくは、この制御部材５０は、回転式セッティングサムホイール５１、および、前述のサムホイール５１の回転運動をマウスピース２に沿ったリード３の長手方向のスライド運動にする変換システム５２の両方を含む。
【００５２】
好ましくは、前述の変換システム５２は、例えば、図５、６、７に詳しく示されている実施形態による歯車セクター５３、歯車５４を含む。この歯車セクター５３は前述のセッティングサムホイール５１の監視下で回転するよう設けられ、前述のセッティングサムホイール５１の回転運動を前述の台２８に伝えるために、前述の台２８の一部は、前述の歯車セクター５３と接するように形作られている。ネジ／ナットまたはロッド／クランクタイプの、ベルト式のように、前述のサムホイール５１の回転運動をリード３の長手方向のスライド運動に変える変換システムのような他のデザインが、本発明の範囲から逸脱することなく、当然、好ましくは検討できる。
【００５３】
本発明の好ましい実施形態によれば、図６および図７に示されるように、変換システム５２は、歯車５４が取り付けられる前述のセッティングサムホイール５１の回転軸と一致する軸に沿って、セッティングサムホイール５１を延長するロッド５５を含む。ロッド５５は、好ましくは、メイン本体１３の上部に互いに反対側に配置された第１の突出部５６と第２の突出部５７との間に延び、図５で詳しく分かるように、前述のロッド５５が、より有利に、メイン本体１３に対する操作レバー１８の軸Ａ−Ａ’に沿う旋回シャフトを構成するように、前述の突出部５６、５７のそれぞれにおいて、貫通穴の両側における開口部がそれぞれ形成される。
【００５４】
さらに、移動台２８は、図に示された好ましい実施形態によれば、歯車５４と接するラック５８を形成する形状部を有し、前述のラック５８は、前述の台とともに単独の一体のパーツを形成するために、有利に、台２８と一体となっている。
【００５５】
セッティングデバイス２７は、好ましくは、制御部材５０と変換部材５２との間に設けられた伝達システム５９を含み、伝達システム５９がセッティングサムホイール５１の回転運動を変換システム５２に伝達する活性形態と、伝達システム５９がセッティングサムホイール５１の回転運動を運動変換システム５２に伝達しないか、あるいは、伝達システム５９がサムホイール５１のどんな回転運動をも妨げるかの、いずれかである抑止形態と、の間で動くように、伝達システム５９は設計されている。
【００５６】
図に示されている好ましい実施形態によれば、前述の伝達システム５９は、制御部材５０のサムホイール５１および変換システム５２のロッド５５によって形成されるアセンブリと同じである。
【００５７】
好ましくは、制御部材５０は、前述の伝達システム５９のその抑止形態からその活性形態への切り替えを可能にするため、伝達システム５９の手動活性化部材６０を、さらに含む。従って、伝達システム５９は、活性化部材６０が操作されていないとき好ましくは抑止され、そのことによって、リード３の位置決めのミュージシャンによる何らかの意図しない変更を避けることができる。
【００５８】
第１の特に有利な実施形態によれば、図１２および図１３に示されているように、伝達システム５９の手動活性化部材６０は、有利に、ロッド５５の胴体から突出した少なくとも１つの第１の長手方向キー６１、および、歯車５４のハブに設けられた少なくとも１つの第１のキー溝６２によって形成され、前述の少なくとも１つの第１のキー溝６２は、ロッド５５の前述の少なくとも１つの第１の長手方向キー６１との協働によって、歯車５４におけるロッド５５の噛み合いを可能にすることができ、一方、歯車５４の前述の少なくとも１つの第１のキー溝６２が、ロッド５５の前述の少なくとも１つの第１の長手方向キー６１との協働をやめたとき、歯車５４は、ロッド５５の軸に関し、自由である。
【００５９】
活性化部材６０を操作するとき、サムホイール５１の軸方向の動きの台２８への伝達を可能にするため、ロッド５５は、歯車５４（図１３）と噛み合う。逆に、活性化部材６０の操作をやめるとき、ロッド５５は、もはや歯車５４と噛み合わず、前述の歯車は、結果的に、ロッド５５に対して自由である。サムホイール５１の軸方向の動きの台２８への伝達は、それからはもはや保証されることはない。
【００６０】
さらに、この第１の実施形態によれば、活性化部材６０は、第２の弾性の戻し部材６３を含んでもよく、これは、例えば圧縮バネ６４であり、サムホイール５１とメイン本体１３との間に設けられ、保持部材１７および操作レバー１８の弾性の戻し部材２３と明確に異なり、活性化部材６０が操作されていないとき、弾性的に伝達システム５９をその抑止形態にするよう意図されている。
【００６１】
図１３に詳しく示された好ましい実施形態によれば、活性化部材６０の動作は、圧縮バネ６４の力に対抗し、歯車５４においてロッド５５と噛み合わせるため、第１の旋回軸Ａ−Ａ’と一致する前述のサムホイール５１の回転軸に従って、セッティングサムホイール５１に力を加えることによって得られる。
【００６２】
第２の実施形態によれば、図１５および図１６に示されるように、伝達システム５９の手動活性化部材６０は、歯車５４の胴体から径方向に突出した少なくとも１つの第２の長手方向キー６６、および、メイン本体１３の第１の突出部５６の貫通穴の表面に形成され、歯車５４の前述の第２の長手方向キー６６と協働し得る少なくとも１つの第２のキー溝６７によって、有利に形成される。この第２の実施形態においては、歯車５４は、例えば同様のキー／キー溝システム（図１６）のおかげで、ロッド５５について軸方向にスライドし得るために、有利に、単純な移動でロッド５５に対して取り付けられる。
【００６３】
歯車５４の第２のキー６６が、第１の突出部５６の貫通穴の表面に形成されたキー溝６７と協働するとき、活性化部材６０は、伝達システム５９をその抑止形態に保持し、そして、その状態では、それは、サムホイール５１のどんな回転運動をも妨げる。反対に、歯車５４が、ロッド５５に沿ってスライドすることによって、第１の突出部５６から外れ、歯車５４の第２のキー６６が第２のキー溝６７ともはや協働しないとき、活性化部材６０は、伝達システム５９がその活性形態にあることを可能にし、そして、その状態では、それは、サムホイール５１の回転運動およびこの運動の伝達を許容する。
【００６４】
前の実施形態と同様、活性化部材６０はまた、有利に、第２の弾性の戻し部材６３’を含んでもよく、これは、好ましくは、サムホイール５１とメイン本体１３との間に設けられ、活性化部材６０が操作されていないとき、弾性的に伝達システム５９をその抑止形態にするよう意図されている。
【００６５】
しかしながら、特に有利には、図１５および図１６に示されているように、第２の戻し部材６３’は、任意に、保持部材１７および操作レバー１８の第１の弾性の戻し部材２３からはもはや明確に異なっていなくてもよく、反対に、前述の操作レバーによって形成される。従って、前述の第１の弾性の戻し部材２３、および第２の弾性の戻し部材６３’は、例えば、全く同一のバネ２４’から構成されてもよく、これは、保持部材１７および操作レバー１８のそれぞれの押圧位置および休止位置への弾性的戻りを保証する捻じれと、伝達システム５９がその活性形態にあるとき伝達システム５９の抑止形態への弾性的戻りを保証する圧縮／伸張と、の両方で機能するよう設計されている。
【００６６】
従って、活性化部材６０の動作は、それ故、バネ２４’の力に抵抗し、歯車５４をロッド５５に沿ってスライドさせることによって胴体１３の第１の突出部５６から外すために、第１の旋回軸Ａ−Ａ’と一致する前述のサムホイール５１の回転軸に従って、セッティングサムホイール５１に力を加えることによって得られる。このような特有のバネ２４’の実装は、従って、有利に、リガチャー１のデザインおよび作製を簡単にし、一方で、関連するコストのより良好な管理を保証する。
【００６７】
コストの管理、作製の容易さおよび軽さ、より特に、学生ミュージシャンおよびアマチュアミュージシャン向けのリガチャー１のバリエーションの目的のため、リガチャー１を構成する要素の全てまたは一部は、前述のリガチャーが、十分な剛性および頑健性を有しており、前述の要素が適切な機能を発揮するのを可能にすることから、プラスチックによって作られてもよい。
【００６８】
しかしながら、反対に経験のあるミュージシャンおよびプロフェッショナル向けのバリエーションにおいては、本発明による特徴、頑健性、および美的感覚を組み合わせたリガチャーを探求し、リガチャー１を構成する要素の全てまたは一部は、長い時間より良い機械的強度を提供するため、例えばアルミニウムまたはチタンのような金属または金属合金から作製されることが、好ましくは、考えられ得る。例えば、操作レバー１８、メイン本体１３、およびサムホイール５１のような、目に見えるパーツは、また、洗練された外観を提供するために、純金でメッキされてもよい。
【００６９】
また、本発明は、楽器のマウスピース２に固定されるように意図されたメイン本体１３を含むリガチャー１によって、単一の振動リード３をマウスピース２に取り付ける、取り付け方法であって、リガチャー１は、また、リード３の保持部材１７を含み、保持部材１７は、マウスピース２に対しリード３を固定する押圧力を、リード３に及ぼすように設計されている、弾性的戻り位置である押圧位置と、マウスピース２に対するリード３の移動を許容するために、押圧力を解除するように設計されている少なくとも１つの解放位置と、の間で、動くことが可能に、メイン本体１３に対して取り付けられており、取り付け方法は、時系列で、以下のステップ、（ｉ）マウスピース２へメイン本体１３を固定すること、（ｉｉ）メイン本体１３に対して旋回可能に取り付けられた操作レバー１８を手動で動かし、好ましくはハンドル２２に加わる力を通じて、操作レバー１８を、弾性的戻り位置である休止位置から、操作レバー１８が保持部材１７に解放位置で力を加える作動位置へ、旋回させること、（ｉｉｉ）保持部材が解放位置で力を加えられている間に、マウスピース２と保持部材１７との間に、リード３を挿入すること、（ｉｖ）操作レバー１８の手動動作をやめ、操作レバー１８の休止位置への戻り、および、保持部材１７の押圧位置への戻りを生じさせること、を含む、ことを特徴とする、取り付け方法に関する。
【００７０】
図に示された好ましい実施形態によれば、リガチャー１のメイン本体１３は、使用者によって、マウスピース２に固定され、使用者によって演奏位置で取り扱われる際には操作レバー１８が楽器のボトムへ突出しており、環状部１４の取り付け部材１５の締め付けネジ（不図示）によって、そこへしっかり留められて保持される。
【００７１】
楽器を保持している手の自由な指を使用し、例えば親指で、操作レバー１８を操作し、それを、その休止位置から、前述の操作レバー１８が保持部材１７に解放位置で力を加えるその作動位置へ旋回させ、台２８へのリード３の導入を可能にするために、使用者は、有利に、ハンドル２２を押す。
【００７２】
保持部材１７が解放位置で力を加えられた状態で、使用者は、台２８の下側ハウジング２９において、有利に、リード３のヒール９の遠位端が台２８の遠位端３２に対し隣接するまで、スパッド３４上で台２８の側端部３１に沿ってリード３のヒール９の縁５をスライドさせることによって、自由な手を使って、慎重に、マウスピース２と保持部材１７との間で力を入れてリード３を挿入する。
【００７３】
リード３が、台２８の下側ハウジング２９内にしっかり位置決めされると、使用者は、操作レバー１８のハンドル２２にかけていた力を徐々に弱めていき、それによって、同時に操作レバー１８がその休止位置へ向かって戻っていく効果が得られ、リード３のヒール９の平坦な下面６がマウスピース２のテーブル７と接するまで、台ガイド３５および台２８が、ボア平均中心軸Ｘ−Ｘ’へ近づけられ、保持部材１７が押圧位置に戻る。
【００７４】
リガチャー１の実装方法は、さらに、特に有利には、前記リード３の長手方向の位置を調整するステップ（Ｖ）を含み、前記ステップ（Ｖ）が、時系列で、以下の操作、手動で前記操作レバー１８を動作させ、好ましくはハンドル２２に加わる力を通じて、前記操作レバー１８が前記保持部材１７に前記解放位置で力を加える前記作動位置に、前記操作レバー１８をすること、前記操作レバー１８が前記作動位置に保持されている間に、前記リード３の長手方向の位置のセッティングデバイス２７を手動で動作させること、を含む。
【００７５】
好ましくは、リード３の長手方向の位置決めのセッティングデバイス２７の手動作動操作は、以下のサブ操作、つまり、伝達システム５９の手動活性化デバイス６０を、伝達システム５９がセッティングサムホイール５１の回転運動を運動変換システム５２に伝達しないか、あるいは、伝達システム５９がサムホイール５１のどんな回転運動をも妨げるかの、いずれかである、その抑止形態から、伝達システム５９がセッティングサムホイール５１の回転運動を変換システム５２に伝達する、その活性化形態へと動作させること、を含む。
【００７６】
図面、特に図１１に示された好ましい実施形態によれば、活性化部材６０の動作は、圧縮バネ６４の力に対抗し、ロッド５５を歯車５４と噛み合わせるために、第１の旋回軸Ａ−Ａ’と一致する前述のサムホイール５１の回転軸に従って、セッティングサムホイール５１に力を加えることによって得られる。
【００７７】
そして、活性化位置に保持された活性化部材６０は、楽器のボトム、またはマウスピース２のそれぞれに向かう所望のリード３の長手方向の移動を得るため、サムホイール５１をその軸について時計回りにまたは反時計回りに回転させることによって、回転式セッティングサムホイール５１および制御部材５０を動作させる。
【００７８】
そして、一端、最適なセッティング、つまり、前述の活性化部材６０をその抑止位置へ戻すため、サムホイール５１へ加わる力を単純に解放することによる、活性化部材６０の動作の停止、リード３の長手方向位置のセッティングデバイス２７の手動動作の停止、前述の操作レバー８が保持部材７に押圧位置で力を加えている解放位置に前述の操作レバー８をする、操作レバー１８の手動動作の停止、がなされる。
【００７９】
本発明の範囲を逸脱することなく、リガチャー１の実装方法は、操作レバー１８が完全に動作されない、すなわち、レバー１８の下部２１を好ましくは形成しているハンドル２２へ加わる力が、前述のハンドル２２をメイン本体１３と接触させるのに十分でない、または、その動作が完全には停止されない、すなわち、前述のハンドル２２に加わっている力は、リード３がマウスピース２のテーブル７に完全には押し付けられないように、完全には停止されない、いくつかの操作の実施を含んでもよいことを理解すべきである。
【００８０】
操作レバー１８のそのような中間の使用は、リード３のヒール９の上面４と、その反対側に配置された保持部材１７の表面との間で作用する摩擦力を、うまく利用することによって、マウスピース２に対するリード３の位置の特に良好で正確なセッティングの可能性を、有利に、使用者に提供する。
【００８１】
産業上の利用可能性
本発明は、管楽器のリガチャーのデザイン、製造、および使用に、その産業的応用を見出す。
【図１】
2018525686.tif 000003
【図２】
2018525686.tif 000004
【図３】
2018525686.tif 000005
【図４】
2018525686.tif 000006
【図５】
2018525686.tif 000007
【図６】
2018525686.tif 000008
【図７】
2018525686.tif 000009
【図８】
2018525686.tif 000010
【図９】
2018525686.tif 000011
【図１０】
2018525686.tif 000012
【図１１】
2018525686.tif 000013
【図１２】
2018525686.tif 000014
【図１３】
2018525686.tif 000015
【図１４】
2018525686.tif 000016
【図１５】
2018525686.tif 000017
【図１６】
2018525686.tif 000018
【国際調査報告】
2018525686.tif 000019
2018525686.tif 000020
2018525686.tif 000021
2018525686.tif 000022
2018525686.tif 000023
2018525686.tif 000024